(57)【要約】      （修正有）【課題】搬送用コンベアの下方における流動物の堆積を容易に抑制することができる流動物搬送装置を提供する。【解決手段】流動物を斜め上方に向けて搬送する無端状の搬送面１０ａを有する搬送コンベア１０と、搬送コンベア１０の下方に配置された受け面２０ａを有する受け部材２０とを備える。搬送コンベア１０は、搬送面１０ａ上に設けられたブレード状の掻き取り部材１３を備えており、掻き取り部材１３は、先端部が受け面２０ａを掻き取るように、搬送方向に間隔をあけて複数配置されている。【選択図】図１
0003197901.tif 000002
【実用新案登録請求の範囲】
【請求項１】
流動物を斜め上方に向けて搬送する無端状の搬送面を有する搬送コンベアと、
前記搬送コンベアの下方に配置された受け面を有する受け部材とを備え、
前記搬送コンベアは、前記搬送面上に設けられたブレード状の掻き取り部材を備えており、
前記掻き取り部材は、先端部が前記受け面を掻き取るように、搬送方向に間隔をあけて複数配置されている流動物搬送装置。
【請求項２】
前記搬送コンベアは、前記搬送面を下側から上側に折り返す折り返し部を覆うカバー部材を更に備え、
前記カバー部材は、前記受け面と連続するガイド面を有しており、前記掻き取り部材の先端部が前記ガイド面を掻き取るように設けられている請求項１に記載の流動物搬送装置。
【請求項３】
前記搬送コンベアの両側上方にそれぞれ配置されて前記搬送面上の流動物の落下を防止するスカート部材を更に備え、
前記搬送コンベアは、前記搬送面の両側に着脱可能に設けられて前記スカート部材の摺動部が摺動する帯状体と、前記帯状体から突出して前記スカート部材に当接する突状体とを備えており、
前記帯状体および前記突状体は、前記スカート部材の摺動部よりも摩耗し易い材料からなる請求項１または２に記載の流動物搬送装置。
【考案の詳細な説明】
【技術分野】
【０００１】
本考案は、流動物搬送装置に関する。
【背景技術】
【０００２】
粉粒体等の流動物を搬送する装置においては、流動物の一部が搬送中にコンベアからこぼれ落ちたり、コンベアに付着したまま下面側に回り込むキャリーバックが生じることにより、コンベア下方に設けられた受け面に落下するおそれがある。このような流動物の落下を放置しておくことは、搬送ロスが生じるだけでなく、コンベアの作動不良の原因にもなることから、受け面上の流動物を回収することが従来から検討されている。
【０００３】
例えば、特許文献１には、受け面に沿って往復動可能な掻き板を備える走行体を設け、この走行体をワイヤ駆動機構によりワイヤを介して駆動することにより、受け面上の流動物を掻き取るように構成された粉粒体の回収搬送装置が開示されている。
【先行技術文献】
【特許文献】
【０００４】
【特許文献１】特開２００４−９９２９０号公報
【考案の概要】
【考案が解決しようとする課題】
【０００５】
ところが、上記特許文献１に開示された装置は、受け面に落下した流動物を回収するために、搬送用のコンベア以外に、掻き板を備える走行体やワイヤ駆動機構などを別途設ける必要があるため、製造コストが高くなると共にメンテナンスが煩雑になるという問題があった。
【０００６】
そこで、本考案は、搬送用コンベアの下方における流動物の堆積を容易に抑制することができる流動物搬送装置の提供を目的とする。
【課題を解決するための手段】
【０００７】
本考案の前記目的は、流動物を斜め上方に向けて搬送する無端状の搬送面を有する搬送コンベアと、前記搬送コンベアの下方に配置された受け面を有する受け部材とを備え、前記搬送コンベアは、前記搬送面上に設けられたブレード状の掻き取り部材を備えており、前記掻き取り部材は、先端部が前記受け面を掻き取るように、搬送方向に間隔をあけて複数配置されている流動物搬送装置により達成される。
【０００８】
この流動物搬送装置において、前記搬送コンベアは、前記搬送面を下側から上側に折り返す折り返し部を覆うカバー部材を更に備えることが好ましく、前記カバー部材は、前記受け面と連続するガイド面を有しており、前記掻き取り部材の先端部が前記ガイド面を掻き取るように設けられていることが好ましい。
【０００９】
また、前記搬送コンベアの両側上方にそれぞれ配置されて前記搬送面上の流動物の落下を防止するスカート部材を更に備えることが好ましい。この構成において、前記搬送コンベアは、前記搬送面の両側に着脱可能に設けられて前記スカート部材の摺動部が摺動する帯状体と、前記帯状体から突出して前記スカート部材に当接する突状体とを備えることが好ましく、前記帯状体および前記突状体は、前記スカート部材の摺動部よりも摩耗し易い材料からなることが好ましい。
【考案の効果】
【００１０】
本考案の流動物搬送装置によれば、搬送用コンベアの下方における流動物の堆積を容易に抑制することができる。
【図面の簡単な説明】
【００１１】
【図１】本考案の一実施形態に係る流動物搬送装置の概略構成を示す断面図である。
【図２】図１に示す流動物搬送装置の平面図である。
【図３】図１に示す流動物搬送装置の要部斜視図である。
【図４】図１に示す流動物搬送装置の要部側面図である。
【図５】図１のＡ−Ａ断面図である。
【図６】図５のＢ部拡大図である。
【図７】図１に示す流動物搬送装置の変形例を示す斜視図である。
【考案を実施するための形態】
【００１２】
以下、本考案の一実施形態について添付図面を参照しつつ説明する。図１は、本考案の一実施形態に係る流動物搬送装置の概略構成を示す断面図である。また、図２は、図１に示す流動物搬送装置の平面図である。図１および図２に示すように、流動物搬送装置１は、流動物を搬送する搬送コンベア１０と、搬送コンベア１０を支持する受け部材２０とを備えている。
【００１３】
受け部材２０は、搬送コンベア１０の下方に配置された受け面２０ａを有しており、受け面２０ａの幅方向両側には、それぞれ側板２２が設けられている。受け部材２０は、ホッパ２およびシュート３を備えており、ホッパ２から投入された流動物が、搬送コンベア１０により斜め上方に搬送されて、シュート３から排出されるように構成されている。受け部材２０のホッパ２側およびシュート３側は、それぞれ長さの異なる脚体４，５により支持される。
【００１４】
搬送コンベア１０は、ホッパ２およびシュート３の近傍にそれぞれ配置された従動軸１２および駆動軸１１を備えており、駆動軸１１と従動軸１２との間に無端状の搬送面１０ａが形成されている。駆動軸１１は、図２に示す駆動モータ１１ａにより減速ギア部１１ｂを介して駆動され、搬送面１０ａを矢示方向に移動させる。搬送面１０ａは、搬送コンベア１０の搬送方向両端部において水平となり、中央部が従動軸１２から駆動軸１１に向けて斜め上方に傾斜するように、不図示のガイドローラにより案内される。
【００１５】
搬送面１０ａには、搬送方向に対して直交方向に延びるブレード状の掻き取り部材１３が、搬送方向に沿って略等間隔に複数設けられている。掻き取り部材１３は、例えば、ゴム、樹脂、金属薄板等により形成され、搬送面１０ａが下方を向いたときに先端部が受け面２０ａにほぼ接した状態になり、受け面２０ａに付着した流動物を掻き取ることができる。
【００１６】
図３は、搬送コンベア１０の要部斜視図であり、駆動軸１１の近傍を示している。本実施形態の搬送コンベア１０は、エプロンコンベアであり、駆動軸１１に設けられたスプロケット１１ａに噛合するチェーン１０１により、複数のエプロン板１０２の両端部が支持されている（図３は、エプロン板１０２の一方側のみを示している）。各エプロン板１０２には、表面を覆うようにゴム製の無端ベルト１０３が装着されており、無端ベルト１０３の表面が搬送面１０ａとされている。すなわち、図１および図２に示す掻き取り部材１３は、無端ベルト１０３の表面から突出するように設けられている。
【００１７】
図４は、従動軸１２の近傍を拡大して示す側面図である。図４に示すように、従動軸１２は、駆動軸１１と同様に、スプロケット１２ａ（簡便に２点鎖線で示す）が設けられており、保持体１２１に回動可能に保持されている。受け部材２０には、受け面２０ａから起立する起立板１２２が設けられており、搬送コンベア１０の幅方向に延びる梁部材２０１が、起立板１２２に固定されている。梁部材２０１には支持ボルト２０２が貫通しており、支持ボルト２０２の先端部に保持体１２１が取り付けられている。支持ボルト２０２は、梁部材２０１からの突出長さを調節して締結ナット２０３で固定することにより、従動軸１２を破線で示すように水平方向に移動させて、無端ベルト１０３の張りを調整することができる。保持体１２１は、起立板１２２に形成されたガイド部（図示せず）に沿って、水平方向に案内される。
【００１８】
搬送面１０ａが従動軸１２により下側から上側に折り返される折り返し部Ｒは、湾曲したカバー部材１２３により覆われている。カバー部材１２３は、内側のガイド面１２３ａと搬送面１０ａとの間に隙間が生じるように配置されており、従動軸１２と一体的に移動可能となるように保持体１２１に固定されている。カバー部材１２３のガイド面１２３ａは、受け部材２０の受け面２０ａに連続するように配置されており、受け面２０ａを掻き取る掻き取り部材１３の先端部が、カバー部材１２３のガイド面１２３ａも掻き取るように構成されている。カバー部材１２３の側面形状は、本実施形態においては円弧状としているが、多角形状など他の形状であってもよい。
【００１９】
図５は、図１のＡ−Ａ断面図である。図５に示すように、搬送コンベア１０の幅方向両側の上方には、それぞれスカート部材３０，３０が設けられている。スカート部材３０，３０は、上端部が受け部材２０の側板２２，２２にそれぞれ固定されており、搬送面１０ａの側方から流動物Ｆが落下するのを防止する。
【００２０】
図６は、図５のＢ部拡大図である。図６に示すように、スカート部材３０は挟持部３１を備えており、挟持部３１に挟持されたスカートゴム３２の下部が摺動部３２ａとなる。一方、搬送コンベア１０は、搬送面１０ａの幅方向両側に、搬送方向に沿って延びる帯状体１０４が設けられている。帯状体１０４は、無端ベルト１０３と押さえ板１０５との間に挟持され、ボルト・ナットからなる締結具１０６により着脱可能に設けられており、表面をスカートゴム３２の摺動部３２ａが摺動する。帯状体１０４の表面には、帯状体１０４に沿って延びるゴム管からなる突状体１０７が、帯状体１０４から突出してスカートゴム３２に当接するように固定されており、摺動部３２ａと帯状体１０４との間が確実に封止される。帯状体１０４および突状体１０７は、スカートゴム３２よりも摩耗し易い樹脂材やゴム材などの材料から形成することが好ましい。突状体１０７は、容易に変形してスカートゴム３２と密着するように、本実施形態のように中空の断面を有することが好ましいが、中実であってもよく、その形状は特に限定されるものではない。
【００２１】
次に、上記構成を備える流動物搬送装置１の作動を説明する。まず、図１に示すように、流動物搬送装置１を地面Ｇに設置する。シュート３の高さは、これに対応する脚体５の長さを調節することにより、次工程で使用する機器の高さに適宜合わせることができる。この後、ホッパ２の近傍に設置した傾斜台５１にダンプ車などの車両５０を乗り上げて、荷台に搭載した流動物をホッパ２に投入する。投入する流動物は、粒状物、粉状物、液状物、ゲル状物など、流動性を有するものであれば特に限定されず、具体的には、石炭、木チップ等のバイオマス燃料、石灰石、汚泥、クリンカ―、不燃ごみ、骨材などを挙げることができる。ホッパ２への流動物の投入は、車両５０自体の動作によって行う代わりに、トラックダンパ等を用いて行っても良い。
【００２２】
ホッパ２に投入された流動物は、搬送コンベア１０の搬送面１０ａ上に搭載され、搬送面１０ａの幅方向両側がスカート部材３０によりガードされた状態で上方に搬送されて、大部分がシュート３から排出される。シュート３から排出される流動物の流量を調整したい場合には、図７に示すように、シュート３の近傍における左右の側板２２，２２の間に、均し部材４０を上下動可能に設けてもよく、搬送面と均し部材４０との隙間の大きさを変えることで、シュート３からの流動物Ｆの排出量を調整することができる。
【００２３】
一方、搬送面１０ａに付着したままの一部の流動物は、駆動軸１１を通過して搬送面１０ａが下方を向いた状態で搬送される間に、受け部材２０の受け面２０ａに落下するキャリーバックが生じるおそれがある。従来は、このようなキャリーバックを放置すると、搬送コンベア１０の下方における流動物の堆積量が多くなって作動不良を生じるおそれがあるため、受け面２０ａの全体を清掃する煩雑な作業が必要になっていた。
【００２４】
これに対し、本実施形態の流動物搬送装置１は、搬送面１０ａに設けられた掻き取り部材１３によって、受け面２０ａに付着した流動物を掻き取り、従動軸１２に向けて搬送することができるので、受け面２０ａの清掃を行う場合でも、受け部材２０の入口部である従動軸１２の近傍のみを清掃すればよく、清掃作業を容易にすることができる。搬送面１０ａに配置された掻き取り部材１３の間隔は、大き過ぎると、受け面２０ａを掻き取る回数が減少して付着した流動物を搬送し難くなる一方、小さ過ぎると、キャリーバックされる流動物の量が多くなるため、２〜３ｍ程度に設定することが好ましい。
【００２５】
また、搬送コンベア１０は、搬送面１０ａの折り返し部Ｒを覆うカバー部材１２３のガイド面１２３ａが、受け面２０ａと連続するように配置され、掻き取り部材１３の先端部が、カバー部材１２３のガイド面１２３ａを掻き取るように構成されているので、受け面２０ａの掻き取りおよび搬送によって折り返し部Ｒの近傍に集められた流動物が、掻き取り部材１３によってガイド面１２３ａに沿って押し上げられてホッパ２の直下を通過し、シュート３に向けて再び搬送される。このような流動物のオートリターン機能により、清掃作業は更に軽減され、搬送用コンベア１０の下方における流動物の堆積をより容易に抑制することができる。
【００２６】
また、搬送コンベア１０は、スカート部材３０の摺動部３２ａが摺動する帯状体１０４と、帯状体１０４から突出してスカート部材３０に当接する突状体１０７とを備えており、  これら帯状体１０４および突状体１０７は、スカート部材３０の摺動部３２ａよりも摩耗し易い材料から形成されているので、摺動部３２ａの摩耗を抑制してスカート部材３０の耐久性を高めることができると共に、帯状体１０４および突状体１０７が大きく摩耗した場合には、容易に交換することができる。
【符号の説明】
【００２７】
１  流動物搬送装置
１０  搬送コンベア
１０ａ  搬送面
１０４  帯状体
１０７  突状体
１１  駆動軸
１２  従動軸
１２３  カバー部材
１２３ａ  ガイド面
１３  掻き取り部材
２０  受け部材
２０ａ  受け面
３０  スカート部材
３２ａ  摺動部
【図１】
0003197901.tif 000003
【図２】
0003197901.tif 000004
【図３】
0003197901.tif 000005
【図４】
0003197901.tif 000006
【図５】
0003197901.tif 000007
【図６】
0003197901.tif 000008
【図７】
0003197901.tif 000009